(57)【特許請求の範囲】
【請求項１】
回転されている光ディスクのトラックを横切るように照射されるレーザビームスポットの現在位置が再生専用のピット部であるか記録再生可能なグルーブ部であるかを判別するための装置であって、
レーザビームスポットの反射光量を検出する手段と、
トラックを横切ることに起因する光量変化が高周波信号の包絡線として与えられる領域の該包絡線を取り出して所定のレベルで２値化する手段と、
トラックを横切ることで検出されるトラッキングエラー信号を２値化してトラッキングゼロクロス信号を生成する手段と、
前記トラッキングゼロクロス信号のレベルが変化するエッジで前記包絡線の２値化信号をラッチする手段と、
前記ラッチ出力によりピット部とグルーブ部を判別する判別手段と、
を備えたピット・グルーブ判別装置。
【請求項２】
回転されている光ディスクのトラックを横切るように照射されるレーザビームスポットの現在位置が再生専用のピット部であるか記録再生可能なグルーブ部であるかを判別するための装置であって、
レーザビームスポットの反射光量を検出する手段と、
トラックを横切る速度に追従できる時定数で検出信号の一方のピークをホールドして第１ホールド信号を生成する手段と、
検出信号と第１ホールド信号の差信号の他方のピークを上記と同程度の時定数でホールドして第２ホールド信号を生成する手段と、
第２ホールド信号を所定のレベルで２値化する手段と、
トラックを横切ることで検出されるトラッキングエラー信号を２値化してトラッキングゼロクロス信号を生成する手段と、
トラッキングゼロクロス信号の立ち上りエッジと立ち下りエッジの各々で第２ホールド信号の２値化信号をラッチして２つのラッチ出力を生成する手段と、
２つのラッチ出力の論理和によりピット部とグルーブ部を判別する手段と、
を備えたピット・グルーブ判別装置。
【請求項３】
請求項２に於いて、
前記判別手段は、前記２つのラッチ出力に前記第２ホールド信号の２値化信号を加えた合計３つの信号の論理和によりピット部とグルーブ部を判別する、
ピット・グルーブ判別装置。
【請求項４】
請求項２、又は、請求項３に於いて、
前記第２ホールド信号を生成する手段と、該第２ホールド信号を所定のレベルで２値化する手段に代えて、
前記検出信号と前記第１ホールド信号の差信号を２値化する手段と、該２値化信号の立ち上がりエッジをトリガとして高周波信号の最長周期より長い幅のパルスを生成する手段と、
を備えたピット・グルーブ判別装置。
【請求項５】
回転制御される光ディスクにレーザビームスポットを照射することにより情報の記録・再生を行う装置であって、
請求項１、請求項２、請求項３、又は、請求項４の判別装置と、
レーザビームスポットの現在位置がピット部であるかグルーブ部であるかに応じてトラッキングサーボ制御の極性を反転させる手段と、
レーザビームスポットの現在位置がピット部である場合には２つの信号検出素子のＲＦ信号の和を記録信号として採用し、グルーブ部である場合には差を記録信号として採用する手段と、
レーザビームスポットの現在位置がピット部である場合には２つの信号検出素子のＲＦ信号の和に基づいて光ディスクを線速度一定に回転制御し、グルーブ部である場合にはウォーブル信号に基づいて線速度一定に回転制御する手段と、
を備えた光ディスク装置。
【発明の詳細な説明】
【０００１】
【産業上の利用分野】
本発明は、レーザビームスポットの現在位置がピット部であるかグルーブ部であるかを判別する装置と、該装置を搭載した光ディスク装置に関する。
【０００２】
【従来の技術】
書換可能型の光ディスク（ミニディスク，ＣＤ−ＭＯ，ＷＯ等）では、最内周部にＴＯＣ（Table Of Contents)が設けられており、目次情報等の管理情報が予めピットとして記録されている。即ち、ディスクの最内周部は再生専用領域として形成されており、その外側に書換可能領域が設けられている。
【０００３】
再生専用のピット領域と書換可能領域（例：光磁気記録領域）とでは、記録信号の再生方式やトラッキングサーボの極性、さらには、ＣＬＶ制御（線速度一定方式のディスク回転制御）用の信号が異なる。このため、光ディスクを照射しているレーザビームスポットの現在位置がピット領域であるかグルーブ領域（書換可能領域）であるかを正確に判別することが必要となる。
【０００４】
従来、上記の判別は、例えば、レーザビームスポットをトラック直交方向へ移動させつつ反射光量を検出し、該検出信号のＤＣ成分をカットした後にピークホールドして得られる信号のレベルを比較することで行われている。即ち、ＤＣカット・ピークホールド後の信号レベルが、ピット部とグルーブ部とで若干異なることを利用して、上記の判別が行われている。
【０００５】
【発明が解決しようとする課題】
ＤＣカット・ピークホールド後の信号レベルはピット部とグルーブ部とで若干異なるが、その差異は僅少である。このため、判別回路の条件設定等に非常な厳密さを要求されるという問題があり、また、厳密に設定した場合でも誤判別の可能性が存するという問題がある。さらに、誤判別が発生した場合は、記録信号を読み取ることができない，トラッキングサーボが不可能となる，或いは、ＣＬＶ制御が実行できないといった問題が発生する。
【０００６】
本発明は、ピット部とグルーブ部を正確に判別できるようにすることで、上記の問題を解決することを目的とする。
なお、本出願人は、特願平６−５０７３０号でピット部とグルーブ部を正確に判別できる回路を出願しているが、本発明は、レーザビームスポットがトラックを横切る速度が低下した場合や、逆方向（例：グルーブ部→ピット部を、ピット部→グルーブ部）に横切る場合にも対応できるようにしたものである。
【０００７】
【課題を解決するための手段】
本発明は、レーザビームスポットの反射光量を検出する手段、トラックを横切ることに起因する光量変化が高周波信号の包絡線として与えられる領域の該包絡線を取り出して所定のレベルで２値化する手段、トラックを横切ることで検出されるトラッキングエラー信号を２値化してトラッキングゼロクロス信号を生成する手段、前記トラッキングゼロクロス信号のレベルが変化するエッジで前記包絡線の２値化信号をラッチする手段、前記ラッチ出力によりピット部とグルーブ部を判別する判別手段を備えたピット・グルーブ判別装置である。
【０００８】
前記「トラックを横切ることに起因する光量変化が高周波信号の包絡線として与えられる領域の該包絡線を取り出して所定のレベルで２値化する手段」は、例えば、「トラックを横切る速度に追従できる時定数で検出信号の一方（＝明部又は暗部）のピークをホールドして第１ホールド信号を生成する手段、検出信号と第１ホールド信号の差信号の他方（＝暗部又は明部）のピークを上記と同程度の時定数でホールドして第２ホールド信号を生成する手段、第２ホールド信号を所定のレベルで２値化する手段」によって構成することができる。或いは、「第２ホールド信号を生成する手段、第２ホールド信号を所定のレベルで２値化する手段」に代えて、「検出信号と第１ホールド信号の差信号を２値化する手段、該２値化信号の立ち上がりエッジをトリガとして高周波信号の最長周期より長い幅のパルスを生成する手段」を用いて構成してもよい。
【０００９】
前記「トラッキングゼロクロス信号のレベルが変化するエッジ」としては、立ち上がりエッジと立ち下がりエッジの少なくとも一方を用いる。両方を用いた場合は、２つのラッチ出力の論理和に基づいて判別を行う。また、２つのラッチ出力の論理和に、さらに「第２ホールド信号の２値化信号」を加えて、合計３つの信号の論理和で判別するようにしてもよい。
【００１０】
また、本発明は、前記判別装置を搭載し、レーザビームスポットの現在位置がピット部であるかグルーブ部であるかに応じてトラッキングサーボ制御の極性を反転させる手段、レーザビームスポットの現在位置がピット部である場合には２つの信号検出素子のＲＦ信号の和を記録信号として採用しグルーブ部である場合には差を記録信号として採用する手段、レーザビームスポットの現在位置がピット部である場合には２つの信号検出素子のＲＦ信号の和に基づいて光ディスクを線速度一定に回転制御しグルーブ部である場合にはウォーブル信号に基づいて線速度一定に回転制御する手段、を具備せしめた光ディスク装置である。
【００１１】
【作用】
本発明のピット・グルーブ判別装置では、トラックを横切ることに起因する光量変化が高周波信号の包絡線で与えられる領域の該包絡線を所定のレベルで２値化して得た信号が、トラッキングゼロクロス信号のレベルが変化するエッジでラッチされ、これに基づいて、ピット／グルーブが判別される。
【００１２】
本発明の光ディスク装置には、本発明のピット・グルーブ判別装置が搭載されており、該判別装置による判別結果に応じて、記録信号の再生方式、トラッキングサーボの極性、ＣＬＶ制御用の信号が切り換えられる。
【００１３】
【実施例】
以下、本発明の実施例を説明する。図１は実施例のピット・グルーブ判別回路の各部分の信号波形図、図２は実施例のピット・グルーブ判別回路図、図３はピット部とグルーブ部を示す模式図、図４は判別結果に応じて切り換えられる信号の説明図、図５は光ピックアップのセンサ出力の処理方式の説明図の一部、図６は図５の残部、図７は光ピックアップのセンサの配置図である。
【００１４】
本装置の光ピックアップのセンサは、図７の如く配置された合計８個の素子から成る。素子Ａ，Ｂ，Ｃ，Ｄはフォーカスサーボ制御とＡＤＩＰデータの検出に用いられる。素子Ｅ，Ｆはトラッキングサーボ制御に用いられる。素子Ｉ，Ｊは記録信号の検出と判別回路用の光量信号の検出に用いられる。これらの各素子への反射レーザビームの結像は、偏光方向の違いによって３つの方向にビームを分離する所謂ウォラストンプリズムを用いることによって実現される。なお、この結像方式は、ラジオ技術・ＭＡＲ・１９９３の１７０頁に記載されているように公知であるため、説明は省略する。
【００１５】
素子Ｉ，Ｊの検出信号の和として与えられる光量信号[1] は、ボトムホールド回路Ｂ／Ｈへ入力されて明部をホールドされ、第１ホールド信号[2] として出力される。この第１ホールド信号[2] から上記光量信号[1] を減算して得られた差信号[3] が、ピークホールド回路Ｐ／Ｈへ入力されて暗部をホールドされ、第２ホールド信号[4] として出力される。この第２ホールド信号[4] がコンパレータへ入力されて所定レベルで２値化され、２値化信号[5] として出力される。ここで、上記各ホールド回路の時定数は、レーザビームスポットがトラックを横切る速度（略３０ｋＨｚ）に追従できる程度である。なお、第１ホールド信号[2] をピークホールドにより生成してもよく、その場合、差信号[3] を生成するアンプの極性を反転させればよい。また、差信号[3] から第２ホールド信号[4] を生成する回路Ｐ／Ｈと、その後段のコンパレータに代えて、図２の下欄に破線枠で示すように、差信号[3] を２値化する回路と、その２値化信号の立ち上がりをトリガとしてパルスを出力するモノマルチバイブレータを設けてもよい。なお、このモノマルチバイブレータの時定数は、ＲＦ信号の最長周期の２〜３倍程度に設定する。例えば、ＣＤのＥＦＭでは、最低周波数が２００ｋＨｚであるため、５μｓｅｃの３倍の１５μｓｅｃ程度に設定すればよい。
【００１６】
一方、前記素子Ｅ，Ｆの差として与えられるトラッキングエラー信号[6] がコンパレータに於いて所定のゼロレベルで２値化され、トラッキングゼロクロス信号[7] として生成される。なお、トラッキングエラー信号[6] の位相は、前記第２ホールド信号[4] の位相と、略９０°ずれている。
【００１７】
上記トラッキングゼロクロス信号[7] の立ち上がりエッジと立ち下がりエッジの各々で前記２値化信号[5] がラッチされ、各ラッチ出力[8][9]が各々ＯＲゲートへ入力される。また、このＯＲゲートには、前記２値化信号[5] もそのまま入力される。このＯＲゲートの出力[10]、換言すれば、２つのラッチ出力[8][9]と２値化信号[5] の論理和が、ピット・グルーブ判別信号として採用される。
【００１８】
このように２つのラッチ出力[8][9]の論理和を取っているため、トラッキングエラー信号[6] の位相が逆方向へずれた場合にも対応できる。即ち、図１の例では２つのラッチ出力が両方ともハイレベルになっている（ラッチ出力[8] はトラッキングゼロクロス信号[7] の立ち上がりエッジで、ラッチ出力[9] は立ち下がりエッジで、各々ハイレベルになっている）が、一方のラッチ出力がローレベルのままという場合もあり得るため、本実施例では、２つのラッチ出力[8][9]の論理和を取っているのである。
【００１９】
また、本実施例では２値化信号[5] との論理和も取っているため、トリガパルスのノイズのためにラッチ出力の変化（ローレベル→ハイレベル，又は，ハイレベル→ローレベル）が遅れた場合にも対応できるという利点もある。また、ラッチ出力の変化が正常であった場合でも、２値化信号[5] との論理和を取っていることにより、判別を半周期分早く行えるという利点もある。
【００２０】
このように検出される判別結果は不図示のコントローラに送られ、該コントローラからの指示に応じて、図６のように、トラッキングサーボ制御の極性が反転され、また、記録信号であるＲＦ信号の極性が和信号又は差信号に切り換えられる。また、図７のように、ＣＬＶサーボ制御用の信号として、ＡＤＩＰデコーダの出力又はＥＦＭデコーダの出力が採用される。
【００２１】
【発明の効果】
以上、本発明では、トラックを横切ることに起因する光量変化が高周波信号の包絡線として与えられる領域の該包絡線を２値化して得た信号を、トラッキングゼロクロス信号のレベルが変化するエッジをトリガとしてラッチして、これを判別信号としているため、レーザビームスポットがトラックを横切る速度に依存することなくピット・グルーブを正確に判別できる。
また、この正確な判別結果を用いて光ディスク記録再生装置を制御しているため、トラッキングサーボ不能、記録信号再生不能、ディスク回転制御不能を防止できる。
【図面の簡単な説明】
【図１】実施例のピット・グルーブ判別回路の各部分の出力信号波形図。
【図２】実施例のピット・グルーブ判別回路図。
【図３】ピット部とグルーブ部の位置を示す説明図。
【図４】ピット部とグルーブ部とで切り換えるべき信号の説明図。
【図５】光ピックアップセンサの検出信号の処理方式を示す説明図の一部。
【図６】光ピックアップセンサの検出信号の処理方式を示す説明図の残部。
【図７】光ピックアップセンサの素子の配置を示す説明図。
【符号の説明】
Ｄ  光磁気ディスク
【図１】
0003653290.tif 000002
【図２】
0003653290.tif 000003
【図３】
0003653290.tif 000004
【図４】
0003653290.tif 000005
【図５】
0003653290.tif 000006
【図６】
0003653290.tif 000007
【図７】
0003653290.tif 000008